(57)【要約】【課題】  動力を用いることなく、かつ肥料収納用ホッパーに収納した肥料がホッパー内に残存しないようにする。【解決手段】  複数の独立した肥料収納部２を有する肥料収納用ホッパー１を配設し、前記ホッパー１の下端に形成した排出口３に、施肥機に届く長さのパイプ４又はホースを連結するとともに、前記排出口３又はパイプ４あるいはホースの一部に開閉可能なシャッター５を配設した。【選択図】        図１
2005046055.tif 000002
【特許請求の範囲】
【請求項１】
複数の独立した肥料収納部を有する肥料収納用ホッパーを配設し、前記ホッパーの下端に形成した排出口に、施肥機に届く長さのパイプ又はホースを連結するとともに、前記排出口又はパイプあるいはホースの一部に開閉可能なシャッターを配設したことを特徴とする肥料分配機。
【発明の詳細な説明】
【技術分野】
【０００１】
この発明は動力を用いることなく、かつ肥料収納用ホッパーに収納した肥料がホッパー内に残存しないようにした肥料分配機である。
【背景技術】
【０００２】
植物の成長には施肥することが不可決の条件であり、広大な圃場の施肥では機械化されている。
【０００３】
肥料分配機とは、圃場に運んだ肥料を施肥機に移し替えるために用いられているものであるが、圃場の面積が広い場合、当然多量の肥料が必要となるため、施肥機に複数の肥料収納容器が配設されている。施肥機はトラクターによって牽引されつつ圃場を移動し施肥されるのであるが、前記肥料分配機はトラックによって圃場現場に搬送される。
【０００４】
そこで現場に運ばれた肥料を施肥機に移し替える場合に、前記施肥機に配設されている個々の肥料収納容器に分配する必要が存在するのである。
【０００５】
そこで従来から一般に用いられている肥料分配機は、図３及び図４に示すようにホッパー類似形状の肥料収納用箱ａを配設し、この肥料収納用箱ａに肥料搬送機ｂを上下方向に向けて配設し、この肥料搬送機ｂの上端を一本のパイプｃに曲折自在に連結し、このパイプｃをトラクターによって牽引される施肥機に臨むように構成されている。
【０００６】
一方、前記従来例にあっては、前記のように肥料収納用箱ａはホッパー状、すなわち四角形の箱状をなし、下部が四角錐状の形状を有するもので、通常のホッパーのような排出口はなく、つまりその尖端部分は有底状をなしているのである。
【０００７】
そしてこのような構造を有する従来の肥料分配機は、肥料収納用箱ａ内にある肥料搬送機ｂでパイプｃに導き、このパイプｃから施肥機に設けられている肥料分配箱に収納するのである。
【０００８】
前記のように肥料収納用箱ａの底部を錐形に形成してあるのは、漸次減少する肥料が底部の一か所に集合せしめるためのものあり、そして確かに集合することにはなるものの、前記錐形の底部に入り込んだ肥料は取り出すことができず、残存するという課題を有していたのであった。このことは前記肥料搬送機ｂの下端が前記錐形の底部に入り切れないためであった。
【０００９】
一方、前記肥料搬送機ｂは、これを駆動せしめるためにモーターを必要とし、かつこのモーターを駆動せしめるためにはバッテリーを用意しなければならない等、何かと不便でもあった。もっとも従来の肥料収納用箱ａはトラックに搭載されていたのでトラックのバッテリーを使用することは可能であったが、トラックのバッテリーを使用するとなるとトラックのエンジンを回転させた状態でなければ、高電容量が極端に低下することになるので、結局のところ、前記モーターを駆動せしめるバッテリーを別途必要とせざるを得なかったのである。
【発明の開示】
【発明が解決しようとする課題】
【００１０】
解決しようとする課題は、肥料の分配に際し、特段の動力を用いることなく、かつ肥料収納箱の底部に肥料が残存することなく、完全に取り出すことができる点である。
【課題を解決するための手段】
【００１１】
この発明は、複数の独立した肥料収納部を有する肥料収納用ホッパーを配設し、前記ホッパーの下端に形成した排出口に、施肥機に届く長さのパイプ又はホースを連結するとともに、前記排出口又はパイプあるいはホースの一部に開閉可能なシャッターを配設したことが最も主要な特徴である。
【発明の効果】
【００１２】
前記のようにこの発明に係る肥料分配機は、複数の独立した肥料収納部を有する肥料収納用ホッパーを配設し、前記ホッパーの下端に形成した排出口に、施肥機に届く長さのパイプ又はホースを連結するとともに、前記排出口又はパイプあるいはホースの一部に開閉可能なシャッターを配設してあるので、肥料の分配に際し、特段の動力を用いることなく、肥料を完全に排出することができるという効果を有するのである。
【発明を実施するための最良の形態】
【００１３】
肥料を分配する目的を最小の部品点数でかつ軽量化を実現した。
【実施例】
【００１４】
次にこの発明に係る肥料分配機の実施例を図１及び図２に基づいて述べると、１は複数の独立した肥料収納部２を有する肥料収納ホッパーであり、この肥料収納ホッパー１は最も普遍的なホッパーと同様の機能を有するものである。したがって前記肥料収納ホッパー１の下端には排出口が形成されている。
【００１５】
４は前記肥料収納ホッパー１の前記排出口３に連結したパイプ４であるが、このパイプ４に代えてホースを用いることも可能である。またこのパイプ４又はホースは図示しない施肥機の分配容器に届く長さに形成されている。本発明にあっても実用の際は、この発明に係る肥料分配機をトラックに搭載して現場に運び、一方、施肥機はトラクターによって牽引されるのであるから、トラックとトラクターを接近せしめて肥料の搬送を行うことを可能にする長さであればよく、したがってせいぜい３〜５ｍもあればよいのである。
【００１６】
尚、この発明に係る肥料分配機は、複数種類の肥料を最終的に混合するものであるが、そのためには前記肥料収納部２の排出口３にそれぞれパイプ４又はホースを連結し、このパイプ４又はホースの先端に他の一本のパイプ４’又はホースを連結してある。そして前記パイプ４’又はホースから施肥機に設置されている分配容器に排出することができるのである。したがって、上記パイプの長さとして示した数値はパイプ４及びパイプ４’の合計である。
【００１７】
５は前記排出口３又はパイプ４，４’あるいはホースの一部に配設した開閉自在なシャッター５である。またこの発明に係る肥料分配機は不慮に転倒しないように枠組み状の架台６に設置するのである。
【００１８】
そしてこの発明に係る肥料分配機をトラックの荷台に搭載するとともに、肥料収納部２に所望する肥料を収納して現場圃場に運搬し、前記トラックの荷台に搭載したままシャッター５を開く。
【００１９】
一方、前記パイプ４，４’又はホースの先端をトラックで牽引する分配容器に臨ませる。
【００２０】
この状態はこの発明に係る肥料分配機が施肥機の分配容器より高位に存在するので、肥料は万有引力の法則にしたがって自動的に投入されることになる。そしてこの場合、各肥料収納部２に異なる種類の肥料を収納してあることによって、パイプ４，４’又はホースから混合された肥料が施肥機の分配容器に移動することになるのである。
【産業上の利用可能性】
【００２１】
この発明に係る肥料分配機は、複数の独立した肥料収納部を有する肥料収納用ホッパーを配設し、前記ホッパーの下端に形成した排出口に、施肥機に届く長さのパイプ又はホースを連結するとともに、前記排出口又はパイプあるいはホースの一部に開閉可能なシャッターを配設してあるので、肥料の分配に際し、特段の動力を用いることなく、肥料を完全に排出することができる。
【図面の簡単な説明】
【００２２】
【図１】この発明に係る肥料分配機の一実施例を示す斜視図である。
【図２】図１のＡ−Ａ線断面図である。
【図３】従来例を示す斜視図である。
【図４】図３のＢ−Ｂ線断面図である。
【符号の説明】
【００２３】
１  肥料収納ホッパー
２  肥料収納部
３  排出口
４，４’パイプ
５  シャッター
６  架台
【図１】
2005046055.tif 000003
【図２】
2005046055.tif 000004
【図３】
2005046055.tif 000005
【図４】
2005046055.tif 000006